(57)【特許請求の範囲】
【請求項１】
時分割多重のデータと他形式のデータとを時分割多重して、第一通信装置及び第二通信装置の間で通信する通信方法であって、
前記第一通信装置が、
前記時分割多重のデータがマッピングされるチャネルを表すマッピング情報を含む制御用ヘッダーを生成するステップと、
前記マッピング情報に従って、多重化された時分割多重のデータ及び多重化された他形式のデータを各チャネルにマッピングするマッピングステップと、
多重化された時分割多重のデータ及び多重化された他形式のデータがマッピングされた信号及び前記制御用ヘッダーを送信するステップと、
前記第二通信装置が、
多重化された時分割多重のデータ及び多重化された他形式のデータがマッピングされた信号及び前記制御用ヘッダーを受信するステップと、
前記制御用ヘッダーから前記マッピング情報を取得するステップと、
前記マッピング情報に従って、前記信号の各チャネルから多重化された時分割多重のデータ及び多重化された他形式のデータをそれぞれ取得する解除ステップと、
を有する通信方法。
【請求項２】
前記マッピングステップは、
前記第一通信装置が、前記マッピング情報に従って前記時分割多重のデータを各チャネルにマッピングするステップと、
前記第一通信装置が、前記時分割多重のデータがマッピングされていない残りの各チャネルに前記他形式のデータをマッピングするステップと、
を有し、
前記解除ステップは、
前記第二通信装置が、前記マッピング情報に従って、前記信号の各チャネルから前記時分割多重のデータを取得するステップと、
前記第二通信装置が、前記時分割多重のデータがマッピングされていない残りの各チャネルから、前記他形式のデータを取得するステップと、
を有する請求項１に記載の通信方法。
【請求項３】
時分割多重のデータと他形式のデータとを時分割多重して、第一通信装置及び第二通信装置の間で通信する通信システムであって、
前記第一通信装置は、
前記時分割多重のデータがマッピングされるチャネルを表すマッピング情報を含む制御用ヘッダーを生成し、前記マッピング情報に従って、多重化された時分割多重のデータ及び多重化された他形式のデータを各チャネルにマッピングするフレーム生成部と、
多重化された時分割多重のデータ及び多重化された他形式のデータがマッピングされた信号及び前記制御用ヘッダーを送信する送信部と、を備え、
前記第二通信装置は、
多重化された時分割多重のデータ及び多重化された他形式のデータがマッピングされた信号及び前記制御用ヘッダーを受信する受信部と、
前記制御用ヘッダーから前記マッピング情報を取得し、前記マッピング情報に従って、前記信号の各チャネルから多重化された時分割多重のデータ及び多重化された他形式のデータをそれぞれ取得する分解部と、
を備える通信システム。
【発明の詳細な説明】
【技術分野】
【０００１】
本発明は、時分割多重通信のデータと他形式の通信のデータとを混在させて通信するための技術に関する。
【背景技術】
【０００２】
近年、トラフィックの膨大な増加と共に、サービス事業者のネットワーク構成が大規模化している。また、モバイルバックホール領域において、全ての通信をＩＰ（Internet Protocol）化する動きがある。これらの動きに伴い、ＴＤＭ（Time Division Multiplex）からイーサネット（登録商標；以下同様）への移行が顕在化している。そのため、イーサネットの増設およびＴＤＭの減設の要求が増えている。ただし、急激に全てのＴＤＭをイーサネットに置き換えることは困難である。そのため、ＴＤＭのデータとイーサネットのデータとを混在させて伝送する技術が提案されている（特許文献１参照）。
【０００３】
従来は、イーサネットのデータをＴＤＭ通信のチャネルにマッピングし、複数チャネルをカプセル化することによって一つのフレームを生成していた。イーサネットのデータをＴＤＭ通信のチャネルにマッピングする際には、予め送信側と受信側とで設定されているマッピング情報に従ってマッピングが行われる。
【先行技術文献】
【特許文献】
【０００４】
【特許文献１】特開２００４−３４９７８２号公報
【発明の概要】
【発明が解決しようとする課題】
【０００５】
送信側と受信側とでマッピング情報が異なると、無線フレームからのカプセル解除の際に受信側でデータを正しく復元することができない。その場合、復元できなかったデータは、不正データとして破棄されてしまう。したがって、送信側か受信側においてマッピング情報の変更が生じると、両者のマッピング情報を合致させるまではデータが破棄されてしまうおそれがあった。
【０００６】
上記事情に鑑み、本発明は、マッピング情報を変更する際に破棄されてしまうデータを削減する技術を提供することを目的としている。
【課題を解決するための手段】
【０００７】
本発明の一態様は、時分割多重のデータと他形式のデータとを時分割多重して、第一通信装置及び第二通信装置の間で通信する通信方法であって、前記第一通信装置が、前記時分割多重のデータがマッピングされるチャネルを表すマッピング情報を含む制御用ヘッダーを生成するステップと、前記マッピング情報に従って、多重化された時分割多重のデータ及び多重化された他形式のデータを各チャネルにマッピングするマッピングステップと、多重化された時分割多重のデータ及び多重化された他形式のデータがマッピングされた信号及び前記制御用ヘッダーを送信するステップと、前記第二通信装置が、多重化された時分割多重のデータ及び多重化された他形式のデータがマッピングされた信号及び前記制御用ヘッダーを受信するステップと、前記制御用ヘッダーから前記マッピング情報を取得するステップと、前記マッピング情報に従って、前記信号の各チャネルから多重化された時分割多重のデータ及び多重化された他形式のデータをそれぞれ取得する解除ステップと、を有する通信方法である。
【０００８】
本発明の一態様は、時分割多重のデータと他形式のデータとを時分割多重して、第一通信装置及び第二通信装置の間で通信する通信システムであって、前記第一通信装置は、前記時分割多重のデータがマッピングされるチャネルを表すマッピング情報を含む制御用ヘッダーを生成し、前記マッピング情報に従って、多重化された時分割多重のデータ及び多重化された他形式のデータを各チャネルにマッピングするフレーム生成部と、多重化された時分割多重のデータ及び多重化された他形式のデータがマッピングされた信号及び前記制御用ヘッダーを送信する送信部と、を備え、前記第二通信装置は、多重化された時分割多重のデータ及び多重化された他形式のデータがマッピングされた信号及び前記制御用ヘッダーを受信する受信部と、前記制御用ヘッダーから前記マッピング情報を取得し、前記マッピング情報に従って、前記信号の各チャネルから多重化された時分割多重のデータ及び多重化された他形式のデータをそれぞれ取得する分解部と、を備える通信システムである。
【発明の効果】
【０００９】
本発明により、マッピング情報を変更する際に破棄されてしまうデータを削減することが可能となる。
【図面の簡単な説明】
【００１０】
【図１】通信システムのシステム構成を表すシステム構成図である。
【図２】通信システムにおいて送受信される無線フレームの概略を表す図である。
【図３】通信装置が備える無線通信部の構成を表す図である。
【図４】回線信号処理部の詳細な機能構成を表す図である。
【図５】送信時のデータ処理の概略を示す図である。
【図６】受信時のデータ処理の概略を示す図である。
【図７】制御用ヘッダーのフレーム構成図である。
【図８】マッピング情報を指定する際の処理の流れを示すフローチャートである。
【図９】回線信号処理部が無線フレームを生成する際の処理の流れを示すフローチャートである。
【図１０】回線信号処理部が無線フレームを受信した際の処理の流れを示すフローチャートである。
【発明を実施するための形態】
【００１１】
図１は、通信システム１のシステム構成を表すシステム構成図である。通信システム１は、複数台の通信装置１００と、各通信装置１００が接続されているＩＰネットワーク２００及びＴＤＭネットワーク３００を含む。例えば、左側の通信装置１００が送信側であり、右側の通信装置１００が受信側である。
【００１２】
送信側の通信装置１００は、ＩＰネットワーク２００からイーサネットのデータ（以下、「イーサネットデータ」という。）を受信する。また、送信側の通信装置１００は、ＴＤＭネットワーク３００からＴＤＭのデータ（以下、「ＴＤＭデータ」という。）を受信する。送信側の通信装置１００は、ＴＤＭデータとイーサネットデータとを混在させた無線フレームを生成し、送信する。受信側の通信装置１００は、無線フレームを受信すると、無線フレームからＴＤＭデータとイーサネットデータとを復元する。そして、受信側の通信装置１００は、復元したイーサネットデータをＩＰネットワーク２００へ、復元したＴＤＭデータをＴＤＭネットワーク３００へ、それぞれ送信する。
【００１３】
図２は、通信システム１において送受信される無線フレームの概略を表す図である。通信装置１００は、複数の無線フレーム４１０を送信する。一つの無線フレーム４１０は、無線データ部４１１、ＴＤＭＯＨ（Time Division Multiplex Over Head）４１２、制御ＯＨ（制御オーバーヘッド（Over Head））４１３を含む。無線データ部４１１は、ＴＤＭデータとイーサネットデータとがカプセル化されることによって生成される。ＴＤＭＯＨ４１２は、ＴＤＭ通信用のオーバーヘッドである。制御ＯＨ４１３については後述する。
【００１４】
図３は、通信装置１００が備える無線通信部５００の構成を表す図である。無線通信部５００は、回線信号処理部６００、変復調部７００、送受信部８００を備える。
まず、無線通信部５００が備える各構成の送信時の処理について説明する。回線信号処理部６００は、通信装置１００が送信しようとするＴＤＭデータ及びイーサネットデータを通信装置１００の不図示のデータ処理部から受信する。データ処理部は、ＩＰネットワーク２００から受信したデータ及びＴＤＭネットワーク３００から受信したデータを中継するための処理を行う。回線信号処理部６００は、受信したＴＤＭデータ及びイーサネットデータを無線フレームにカプセル化する。回線信号処理部６００は、上述したカプセル化を行う際に、ＴＤＭオーバーヘッド（ＴＤＭＯＨ４１２）と、制御用ヘッダー（制御用ＯＨ４１３）とを、ヘッダーとして付与する。
【００１５】
制御用ヘッダーは、ＴＤＭデータが無線フレームのどのチャネルにマッピングされたかを表すマッピング情報を含む。マッピング情報は、例えば無線データ部４１１においてＴＤＭデータがマッピングされているチャネルの数を示しても良い。変復調部７００は、無線フレームを無線信号に変調する。送受信部８００は、無線信号を他の通信装置１００へ送信する。
【００１６】
次に、無線通信部５００が備える各構成の受信時の処理について説明する。送受信部８００は、他の通信装置１００から送信された無線信号を受信する。変復調部７００は、無線信号を復調し無線フレームを復元する。回線信号処理部６００は、制御用ヘッダーに基づいて無線フレームのカプセル化を解除し、ＴＤＭデータ及びイーサネットデータを復元する。そして、回線信号処理部６００は、ＴＤＭデータ及びイーサネットデータを装置内のデータ処理部へ送信する。
【００１７】
図４は、回線信号処理部６００の詳細な機能構成を表す図である。回線信号処理部６００は、データ受信部６０１、Ｅｔｈｅｒ多重部６０２、ＴＤＭＯＨ多重部６０３、ＴＤＭデータ多重部６０４、無線フレーム生成部６０５、マッピング情報指定部６０６、無線フレーム分割部６１１、Ｅｔｈｅｒ分割部６１２、ＴＤＭＯＨ分割部６１３、ＴＤＭデータ分割部６１４、データ送信部６１５を備える。
【００１８】
データ受信部６０１は、通信装置１００のデータ処理部から受信するイーサネットデータ及びＴＤＭデータの各信号を終端する。データ受信部６０１は、イーサネットデータをＥｔｈｅｒ多重部６０２へ送信する。データ受信部６０１は、ＴＤＭデータのうち、装置内ＴＤＭ通信に使用されるＴＤＭオーバーヘッドをＴＤＭＯＨ多重部６０３へ送信する。データ受信部６０１は、ＴＤＭデータのうち、ＴＤＭオーバーヘッドを除く残りの部分のデータ（以下、「ＴＤＭペイロード」という。）をＴＤＭデータ多重部６０４へ送信する。
【００１９】
Ｅｔｈｅｒ多重部６０２は、イーサネットデータを無線フレーム用に多重する。具体的には、Ｅｔｈｅｒ多重部６０２は、通信装置１００間で行われるＴＤＭ通信の各チャネルにイーサネットデータをマッピングすることによって、イーサネットデータを時分割多重する。そして、Ｅｔｈｅｒ多重部６０２は、多重化されたイーサネットデータを無線フレーム生成部６０５へ送信する。
【００２０】
ＴＤＭＯＨ多重部６０３は、ＴＤＭＯＨを無線フレーム用に多重する。そして、ＴＤＭＯＨ多重部６０３は、多重化されたＴＤＭＯＨを無線フレーム生成部６０５へ送信する。
ＴＤＭデータ多重部６０４は、ＴＤＭペイロードを無線フレーム用に多重する。具体的には、ＴＤＭデータ多重部６０４は、通信装置１００間で行われるＴＤＭ通信の各チャネルにＴＤＭペイロードをマッピングすることによって時分割多重する。そして、ＴＤＭデータ多重部６０４は、多重化されたＴＤＭペイロードを無線フレーム生成部６０５へ送信する。
【００２１】
マッピング情報指定部６０６は、一つの無線フレームにマッピングされるＴＤＭデータのチャネル数の指定を外部から受け付ける。外部からの指定はどのような形態で行われても良い。例えば、通信装置１００や無線通信部５００に接続されたキーボード等の入力装置が人に操作されることによってチャネル数が指定されても良い。例えば、通信装置１００や無線通信部５００に接続された情報処理装置が人に操作されることによってチャネル数が指定されても良い。例えば、通信装置１００や無線通信部５００と有線通信又は無線通信を行う遠隔地の情報処理装置が人に操作されることによってチャネル数が指定されても良い。マッピング情報指定部６０６は、指定されたチャネル数（マッピング情報）を記憶する。
【００２２】
無線フレーム生成部６０５は、マッピング情報指定部６０６からマッピング情報を読み出す。無線フレーム生成部６０５は、読み出したマッピング情報に従って、受信した各データを無線フレームにカプセル化する。また、無線フレーム生成部６０５は、マッピング情報を表す制御用ヘッダーを生成し、無線フレームに付与する。そして、無線フレーム生成部６０５は、無線フレームを変復調部７００に送信する。
【００２３】
無線フレーム分割部６１１は、変復調部７００から無線フレームを受信する。無線フレーム分割部６１１は、受信した無線フレームの制御用ヘッダーに示されているマッピング情報を読み出す。無線フレーム分割部６１１は、マッピング情報に従って無線フレームを分割する。具体的には、無線フレーム分割部６１１は、無線フレームを、多重化されたイーサネットデータ、多重化されたＴＤＭオーバーヘッド、多重化されたＴＤＭペイロードに分割する。そして、無線フレーム分割部６１１は、多重化されたイーサネットデータをＥｔｈｅｒ分割部６１２へ、多重化されたＴＤＭオーバーヘッドをＴＤＭＯＨ分割部６１３へ、多重化されたＴＤＭペイロードをＴＤＭデータ分割部６１４へ、それぞれ送信する。
【００２４】
Ｅｔｈｅｒ分割部６１２は、無線フレーム用に多重されたイーサネットデータを分割し、イーサネットデータを復元する。そして、Ｅｔｈｅｒ分割部６１２は、データ送信部６１５へイーサネットデータを送信する。ＴＤＭＯＨ分割部６１３は、無線フレーム用に多重されたＴＤＭオーバーヘッドを分割し、ＴＤＭオーバーヘッドを復元する。そして、ＴＤＭＯＨ分割部６１３は、データ送信部６１５へＴＤＭオーバーヘッドを送信する。ＴＤＭデータ分割部６１４は、無線フレーム用に多重されたＴＤＭペイロードを分割し、ＴＤＭペイロードを復元する。そして、ＴＤＭデータ分割部６１４は、データ送信部６１５へＴＤＭペイロードを送信する。
【００２５】
データ送信部６１５は、Ｅｔｈｅｒ分割部６１２から受信したイーサネットデータを、データ処理部へ送信する。データ送信部６１５は、ＴＤＭＯＨ分割部６１３から受信したＴＤＭオーバーヘッドと、ＴＤＭデータ分割部６１４から受信したＴＤＭペイロードとを組み合わせることによりＴＤＭデータを復元し、データ処理部へ送信する。
【００２６】
図５は、送信時のデータ処理の概略を示す図である。図５において、ＴＤＭと記載された矩形はＴＤＭデータを表し、ＥＴＨと記載された矩形はイーサネットデータを表す。無線フレーム生成部６０５は、マッピング情報指定部６０６によって指定されたチャネル数分のチャネルに、多重化されたＴＤＭオーバーヘッド及び多重化されたＴＤＭペイロードをマッピングする。図５の場合は、ＴＤＭＯＨ（１）には、多重化されたＴＤＭオーバーヘッドがマッピングされている。ＴＤＭ（１）〜ＴＤＭ（Ｍ）には、多重化されたＴＤＭペイロードがマッピングされている。
【００２７】
無線フレーム生成部６０５は、一つの無線データ部４１１に含まれるチャネル数（以下、「全チャネル数」という。）を予め記憶していても良い。無線フレーム生成部６０５は、全チャネル数から、マッピング情報指定部６０６によって指定されたチャネル数（図５の場合はＭ＋１）を減算することによって、イーサネットデータをマッピングするチャネル数（図５の場合はＮ）を算出する。無線フレーム生成部６０５は、このようにして算出した数のチャネルに、多重化されたイーサネットデータをマッピングする。ＥＴＨ（１）〜ＥＴＨ（Ｎ）には、多重化されたイーサネットデータがマッピングされている。無線フレーム生成部６０５には、予めイーサネットデータとＴＤＭデータとのどちらを無線データ部４１１の先頭側にマッピングするか設定されていても良い。例えば、図５の場合は、ＴＤＭデータが無線データ部４１１の先頭側にマッピングされており、イーサネットデータはＴＤＭデータの後方にマッピングされている。
【００２８】
無線フレーム生成部６０５は、自身が行った時分割多重に関するヘッダー情報を生成し、ＴＤＭオーバーヘッド４１２（ＴＤＭＯＨ４１２）として無線データ部４１１に付与する。また、無線フレーム生成部６０５は、マッピング情報指定部６０６から読み出したマッピング情報を表す制御用ヘッダーを生成し、制御ＯＨ４１３として無線データ部４１１に付与する。このような処理によって無線フレーム４１０が生成される。
【００２９】
図６は、受信時のデータ処理の概略を示す図である。図６における各記載が表す事項は、図５の同記載が表す事項と同じである。無線フレーム分割部６１１は、無線フレームに含まれる制御用ヘッダー（制御ＯＨ４１３）を抽出し、この無線フレームにマッピングされているＴＤＭデータ及びイーサネットデータそれぞれのチャネル数を取得する。例えば、無線フレーム分割部６１１は、制御ＯＨ４１３に設定されているチャネル数分のチャネルを無線データ部４１１の先頭側からカウントし、カウントされたチャネルのデータを、多重化されたＴＤＭデータ（ＴＤＭＯＨ及びＴＤＭペイロード）として抽出する。そして、無線フレーム分割部６１１は、無線データ部４１１の残るチャネルのデータを、多重化されたイーサネットデータとして抽出する。
【００３０】
図７は、制御用ヘッダーのフレーム構成図である。制御用ヘッダー４１３は、Ｒｅｓｅｒｖｅ領域４１３１と、ＴＤＭマッピング数領域４１３２とを備える。制御用ヘッダーは、例えば１６ビットのデータ列で構成され、前半８ビット分の領域がＲｅｓｅｒｖｅ領域４１３１であり、後半８ビットがＴＤＭマッピング数領域である。制御用ヘッダーが２進数“００００００００００００１１００”である場合、ＴＤＭマッピング数領域４１３２は、１０進数の“１２”を示している。このような制御用ヘッダー４１３、無線フレームの無線データ部４１１にマッピングされているＴＤＭデータのチャネル数が１２チャネルであり、残りの全てのチャネルにはイーサネットデータがマッピングされている。なお、Ｒｅｓｅｒｖｅ領域４１３１は拡張用の領域であり、例えば全てのビットが“０”である。
【００３１】
図８は、マッピング情報を指定する際の処理の流れを示すフローチャートである。人がキーボード等を操作してマッピング情報を指定すると、マッピング情報指定部６０６が指定されたマッピング情報を受け付ける。そして、マッピング情報指定部６０６が指定されたマッピング情報を記憶することによって、マッピング情報の設定が完了する（ステップＳ１０１）。
【００３２】
図９は、回線信号処理部６００が無線フレームを生成する際の処理の流れを示すフローチャートである。まず、無線フレーム生成部６０５が、マッピング情報指定部６０６からマッピング情報を読み取る（ステップＳ２０１）。次に、無線フレーム生成部６０５が、読み出したマッピング情報に基づいて、制御用ヘッダーを生成する（ステップＳ２０２）。次に、無線フレーム生成部６０５が、ＴＤＭＯＨ多重部６０３から受信したＴＤＭオーバーヘッドを無線データ部４１１にマッピングする（ステップＳ２０３）。次に、無線フレーム生成部６０５が、ＴＤＭデータ多重部６０４から受信したＴＤＭペイロードを、マッピング情報に従って、無線データ部４１１にマッピングする（ステップＳ２０４，ステップＳ２０５）。具体的には、無線フレーム生成部６０５は、マッピング情報に示されるチャネル数になるまで、ＴＤＭペイロードをマッピングする。次に、無線フレーム生成部６０５が、残りのチャネル全てにイーサネットデータをマッピングする（ステップＳ２０６）。無線フレーム１つ分の多重処理が完了したら（ステップＳ２０７−ＹＥＳ）、無線フレーム生成部６０５は、生成した無線フレームを変復調部７００に送信し、次の無線フレームを生成する処理を繰り返し実行する。なお、１つの無線フレームのサイズは、変調方式によって可変である。
【００３３】
図１０は、回線信号処理部６００が無線フレームを受信した際の処理の流れを示すフローチャートである。まず、無線フレーム生成部６１１が、送受信部８００によって受信され変復調部７００によって復調された無線フレームを、変復調部７００から受信する（ステップＳ３０１）。次に、無線フレーム分割部６１１が、受信した無線フレームから制御用ヘッダーを読み込む（ステップＳ３０２）。次に、無線フレーム分割部６１１が、多重されたＴＤＭＯＨを無線データ部４１１の先頭部分から取り出し、ＴＤＭＯＨ分割部６１３へ送信する（ステップＳ３０３）。次に、無線フレーム分割部６１１が、制御用ヘッダーからマッピング情報を読み出す。無線フレーム分割部６１１は、マッピング情報に示されているチャネル数と一致するまで、無線データ部４１１の各チャネルからＴＤＭデータを取り出す。無線フレーム分割部６１１は、取り出したＴＤＭデータをＴＤＭデータ分割部６１４へ送信する（ステップＳ３０４，Ｓ３０５）。次に、無線フレーム分割部６１１は、残りを全てのチャネルからイーサネットデータを取り出し、Ｅｔｈｅｒ分割部６１２へ送信する（ステップＳ３０６，Ｓ３０７−ＹＥＳ）。
【００３４】
上述した通信システム１では、マッピング情報を変更する際に破棄されてしまうデータを削減することが可能となる。効果の詳細は以下の通りである。
例えば、ＴＤＭの帯域を減らしてイーサネットの帯域を増やす場合、従来は、送信側の通信装置１００と受信側の通信装置１００のどちらか一方のマッピング情報を変更した時点で、データの廃棄が生じてしまう。データの廃棄は、送信側と受信側とでお互いのマッピング情報が一致するまで続いてしまう。モバイルバックホール領域においても高品質化が求められているため、データの廃棄（ロス）は許されない。場合によっては、増減設の際は完全にデータを停止してから実施しなければいけない。
【００３５】
これに対し、上述した通信システム１では、送信側でマッピング情報を変更すると、変更されたマッピング情報が無線フレームとして受信側に送信される。受信側では、送信されてきたマッピング情報に基づいて、このマッピング情報とともに送信されてきた無線フレームを分割し、ＴＤＭデータやイーサネットデータを復元する。そのため、送信側でマッピング情報の変更が反映された直後から、受信側との間でマッピング情報を一致させることができる。したがって、データの廃棄の発生を低減させることが可能と鳴る。
【００３６】
また、上述した通信システム１は、従来からある装置を大幅に変更することなく実現することが可能である。すなわち、通信システム１は、従来の通信システムに対し回線信号処理部６００の無線フレーム生成部６０５及びマッピング情報指定部６０６を追加することで実現できる。そのため、例えば従来のハードウェアを変更することなく、ＦＰＧＡ（Field-Programmable Gate Array）のバージョンアップだけで実現することが可能である。
【００３７】
＜変形例＞
上述した説明では、ＴＤＭＯＨとＴＤＭデータとを分けて処理が行われている。しかし、ＴＤＭＯＨは装置内通信用に使用するため、ＴＤＭＯＨ多重部６０３及びＴＤＭＯＨ分割部６１３が無い構成であっても良い。また、ＴＤＭデータ多重部６０４がＴＤＭＯＨ多重部６０３の処理も行い、ＴＤＭデータ分割部６１４がＴＤＭＯＨ分割部６１３の処理も行うように構成されても良い。
上述した説明における制御用ヘッダーのフレームサイズは、上記説明と異なる長さであっても良い。
ＴＤＭのデータと混在して送信されるデータは、イーサネットのデータに限定される必要は無い。
通信装置１００が行う通信は無線通信に限定される必要は無く、有線通信であっても良い。
【００３８】
以上、この発明の実施形態について図面を参照して詳述してきたが、具体的な構成はこの実施形態に限られるものではなく、この発明の要旨を逸脱しない範囲の設計等も含まれる。
【符号の説明】
【００３９】
１…通信システム，  ２００…ＩＰネットワーク，  ３００…ＴＤＭネットワーク，  ４１０…無線フレーム，  ４１１…無線データ部，  ４１２…ＴＤＭＯＨ，  ４１３…制御ＯＨ，  ５００…無線通信部，  ６００…回線信号処理部，  ７００…変復調部，  ８００…送受信部，  ６０１…データ受信部，  ６０２…Ｅｔｈｅｒ多重部，  ６０３…ＴＤＭＯＨ多重部，  ６０４…ＴＤＭデータ多重部，  ６０５…無線フレーム生成部，  ６０６…マッピング情報指定部，  ６１１…無線フレーム分割部，  ６１２…Ｅｔｈｅｒ分割部，  ６１３…ＴＤＭＯＨ分割部，  ６１４…ＴＤＭデータ分割部，  ６１５…データ送信部
【図１】
0005821327.tif 000002
【図２】
0005821327.tif 000003
【図３】
0005821327.tif 000004
【図４】
0005821327.tif 000005
【図５】
0005821327.tif 000006
【図６】
0005821327.tif 000007
【図７】
0005821327.tif 000008
【図８】
0005821327.tif 000009
【図９】
0005821327.tif 000010
【図１０】
0005821327.tif 000011